(57)【要約】【課題】  ウォブル位相変調方式のディスクにおいて、出現周期、パターンの異なる第一、第二の同期信号に対する検出保護を行いながら、正しいデータビットの検出方法を提供する。さらに、ウォブル位相変調方式のディスクから検出したアドレス情報をランドプリピット信号に変換する手段を設けることで、ランドプリピット方式の光ディスク記録装置における、記録制御可能な光ディスク記録装置を提供することにある。【解決手段】 同期検出保護方法については、ウォブル位相変調方式の光ディスクからの再生ウォブル信号において、位相変調されている第一、第二の同期信号は、その出現周期、パターンがそれぞれ異なり、第一、第二の同期信号の検出することにおいて、再生ウォブル信号の位相変調部から第一の同期信号に対する周期保護を行い、第一の同期信号の検出結果を用いて、第二の同期信号の周期保護を行う。【選択図】  図１
2007164984.tif 000002
【特許請求の範囲】
【請求項１】
ウォブル位相変調方式、またはランドプリピット方式の光ディスクに対し、データの記録制御を行う光ディスク記録装置であって、
ディスクより再生された再生ランドプリピット信号と、再生ウォブル信号を出力する手段と、
ランドプリピット信号に含まれるアドレス情報を検出し、ディスクに対し記録制御を行う手段と、
再生ウォブル信号から第一、第二の同期信号を検出、保護し、
第二の同期信号検出からデータビットを検出するデータ検出手段と、
複数のデータビット配列におけるディスク上のアドレス情報に対する誤り訂正手段と、
訂正後のアドレス情報から生成ランドプリピット信号を出力する変換手段と、
再生ランドプリピット信号と、生成ランドプリピット信号の出力選択手段と、
第一の同期信号の連続未検出回数に従い、変換手段の出力停止を制御する制御手段を
備えることを特徴とする光ディスク記録装置。
【請求項２】
請求項１記載の光ディスク記録装置において、
前記制御手段は、誤り訂正手段からの訂正エラーの連続発生回数Ｐ回(Ｐは、整数)以上を判定し、その判定に従い、変換手段の出力停止制御を行うことを特徴とする光ディスク記録装置。
【請求項３】
請求項１記載の光ディスク記録装置において、
前記制御手段は、訂正後のアドレス値不連続の連続発生回数Ｑ回(Ｑは、整数)以上を判定し、
その判定に従い、変換手段の出力停止制御を行うことを特徴とする光ディスク記録装置。
【発明の詳細な説明】
【技術分野】
【０００１】
本発明は、ディスク記録媒体の同期検出保護方法及びディスク記録装置に関し、特に、ＤＶＤ＋ＲＷのようなADIP方式ディスク記録媒体の同期検出保護方法、及び、ADIP方式光ディスク、LPP方式光ディスク双方の記録に対応した光ディスク記録装置に関する。
【背景技術】
【０００２】
近年、記録密度を飛躍的に向上させたDVD（Digital Versatile Disk）のような高密度記録媒体が実用化されており、DVD−RAM、DVD−R／RW、及びDVD＋RW方式のディスクが開発されている。例えば、特許文献１に記載されているように、DVD−R／RWでは、ウォブルの一定周期に対して、ディスク上のランドトラックに刻まれたプリピットに、同期信号やトラック位置に対応させたアドレス情報を変調したランドプリピット（LPP）方式が採用されている。一方、DVD＋RWにおいては、同期信号やトラック位置に対応させたアドレス情報を、ウォブル位相変調するADIP(ADdress In Pregroove)方式が採用されている。
【０００３】
DVD+RWのADIP方式について図２〜図６を用いて説明する。まず、ADIP方式とデータ方式との関係ついて、図２を用いて説明する。ディスク上のトラックに記録するデータ記録単位であるシンクフレーム２個中には９３ウォブルが含まれ、先頭８ウォブルに含まれる「０」または「１」を示すデータをADIPビットと呼ぶ。１セクタは２６シンクフレームから構成されることから、１セクタ中には１３個のADIPビットが含まれる。また、１ＥＣＣ(Error Correcting Code)ブロックは１６セクタから構成されることから１ＥＣＣブロック中には２０８個のADIPビットが含まれる。ここで、５２個のADIPビットによってADIPワード（＝アドレス）が構成されることから、ADIPワード（＝アドレス）は４セクタに１個の割合でウォブル変調されて含まれている。すなわち、１ＥＣＣブロック中には４個のアドレスが含まれることになる。
【０００４】
ADIPワード構成を図３に示す。ADIPワードは、シンクビット（１ADIPビット）、アドレス情報を示す２３ADIPビット、ディスク情報を示すAUXデータ（８ADIPビット）、訂正符号であるパリティビット（２０ADIPビット）からなる合計５２ADIPビットを単位として１つのアドレスを構成している。このアドレスは１３ワード（１ワード＝４ビット）で構成されており、８ワード（シンクビット、アドレス情報、ディスク情報の合計３２ADIPビット）の情報に対して、５ワード（＝２０ADIPビット）のパリティワードが付加され、最大で２ワードのアドレス情報、AUX情報の誤りを訂正できる。
【０００５】
ADIP方式は、ウォブル周波数ｆｃと記録周波数ｆａの関係が（ｆａ＝３２×ｆｃ）とされている。即ち、３２Ｔ（Ｔは光ディスク上の記録マーク長の基本単位であるチャネルビット、Ｔ＝26.16ＭＨｚ）で、1ウォブルである。ADIP方式におけるウォブルの変調パターンは、図4、図5、図６に示す3種類のパターンがある。図４(a)は、ADIPワードの先頭を示す同期信号（以下、ワードシンクと呼ぶ）を示す図であり、図５(a)、図６(a)は、それぞれADIPビット“１”または“０”を示すウォブルを含むADIPデータを示す図である。図５または図６に示すADIPデータに含まれる８ウォブルのうち、最初の１ウォブルはADIPデータの先頭を示す同期信号（以下、ビットシンクと呼ぶ）であり、最後の４ウォブルはADIPビットである。ADIPデータには、位相反転部(位相180度)を含んでおり、位相反転部の位置により、ワードシンク、ビットシンク、ADIPデータ“０”または“１”の別を表している。このワードシンク、または、ビットシンクを用いてディスク回転制御における同期を図ることができ、さらに、ADIPワード内のアドレス情報を用いて、記録トラックを特定することができる。
【０００６】
しかし、特許文献１においては、ワードシンク、ビットシンクを用いて同期保護を行った上でADIPデータの取得をする技術については開示されていない。
【０００７】
また、上で説明したように、LPP方式光ディスクと、ADIP方式光ディスクではアドレス情報の記録形式が異なるため、LPP方式光ディスクに対し記録を行うためには、LPP方式対応の記録装置が必要であり、ADIP方式光ディスクに対し記録を行うためにはADIP方式対応の記録装置が必要であった。
【０００８】
【特許文献１】特開２００１−１１００６１号公報
【発明の開示】
【発明が解決しようとする課題】
【０００９】
上述のように、ADIP方式の光ディスクの回転制御においては、ワードシンクとビットシンクはデータパターン及び検出タイミングが異なる。同期保護を行わない従来技術においては、ワードシンク、ビットシンク、ADIPビットの誤検出の危険性があった。そこで、この２つの同期信号に対する検出、保護を行いながら、ADIPビットを正しく検出することが本発明の第１の課題である。
【００１０】
また、ADIPワードの異常検出時に書き込みを継続すると、ディスク上の誤った位置への記録、記録済みデータの破壊してしまう虞がある。そこで、記録済みデータの破壊を防止するための記録制御方法を提供するのが本発明の第２の課題である。
【００１１】
さらに、近年の光ディスク記録装置は、ＤＶＤを始めＣＤ−Ｒ、ＣＤ−ＲＷなど、さまざまな種類の追記型、書き換え型光ディスクに対し記録、再生を行うマルチ光ディスク対応ドライブの実現が、その付加価値を決める重要な要素となっている。記録装置の内部を構成し、各光ディスクに対し信号処理を担う専用回路は、それら光ディスクのフォーマットに応じた信号処理を行うための論理回路を内蔵している。従って回路設計時に想定していない光ディスクに対する信号処理には当然対応できないという問題がある。これを改善する方法として、それぞれのフォーマットに対応した複数の専用回路を設ける方法、または、複数のフォーマットに対応した専用回路を採用する方法が考えられる。しかし、前者では回路規模が大きくなってしまうためコスト面で不利であり、後者では論理回路の再開発が必要となり、早期のマルチ光ディスク対応ドライブの開発の困難性、および、コスト面で非常に不利となる。そこで、回路規模をあまり大きくすること無く、LPP方式とADIP方式の両方の光ディスクに対応できる記録装置を早期に提供することが本発明の第三の課題である。
【課題を解決するための手段】
【００１２】
上記課題は、ウォブル位相変調方式の光ディスクからの再生ウォブル信号において、位相変調されている第一、第二の同期信号は、その出現周期、パターンがそれぞれ異なり、第一、第二の同期信号の検出することにおいて、再生ウォブル信号の位相変調部から第一の同期信号に対する周期保護を行い、第一の同期信号の検出結果を用いて、第二の同期信号の周期保護を行う同期検出保護方法により改善される。
【００１３】
また、ディスクより再生された再生ランドプリピット信号と、再生ウォブル信号を出力する手段と、ランドプリピット信号に含まれるアドレス情報等を検出し、ディスクに対し記録制御を行う手段と、再生ウォブル信号から第一、第二の同期信号を検出、保護し、第二の同期信号検出からデータビットを検出するデータ検出手段と、複数のデータビット配列におけるディスク上のアドレス情報等に対する誤り訂正手段と、訂正後のアドレス情報等から生成ランドプリピット信号を出力する変換手段と、再生ランドプリピット信号と、生成ランドプリピット信号の出力選択手段と、第一の同期信号の連続未検出回数に従い、変換手段の出力停止を制御する制御手段を備える光ディスク記録装置によっても改善される。
【発明の効果】
【００１４】
本発明により、ADIP形式の光ディスクの信号処理において、ワードシンク、ビットシンク、ADIPビットの誤検出の問題を改善し、データビットの正しい値を検出することができる。また、ディスク上の誤った位置への記録動作を回避し、ディスク上の記録済データを破壊することを防ぎ、ディスクを保護することができる。さらに、ADIP方式、LPP方式のディスクを共に記録再生できる光ディスク記録装置を構成できる。
【発明を実施するための最良の形態】
【００１５】
ADIP方式及びLPP方式の方式の光ディスクを記録再生する光ディスク記録装置に対して、本発明を適用した一実施形態について図１を参照して説明する。図１において、１は光ディスク、２は光ディスク１を回転駆動させるスピンドルモータ、３は光ディスク１に対しデータの記録または再生を行う光ピックアップ、４は光ピックアップに含まれる半導体レーザーの制御を行うレーザードライバ、５は再生増幅器、６はドライブ全体の動作を制御するマイコン、７はディスクの記録制御を行う光ディスクコントロール回路、８はADIP復調部、９はECCデータに対しディジタル変調等の処理を行う変調部、１０は記録目的のディスク上のトラック位置に対するアドレス情報を検出ECCアドレスとして出力するLPPデコーダを示す。
【００１６】
光ディスク１上の記録アドレス情報を、光ピックアップ３が再生し、図示せぬフォトディテクタにより検出された信号が再生増幅器５に供給される。再生増幅器５の出力信号が、ADIP復調部８に供給される。再生増幅器５では、フォトディテクタの検出信号を演算して、トラッキングエラー信号、フォーカスエラー信号が生成される。ADIP方式のディスクの場合は、ウォブル信号であり、LPP方式のディスクの場合は、LPP信号が、ADIP復調部８に供給さる。
【００１７】
光ディスク１がLPP方式である場合、再生増幅器５からLPP信号が出力され、スイッチ２１を介して、光ディスクコントロール回路７のLPPデコーダ１０に入力される。LPPデコーダ１０により、LPP方式のアドレス情報等を得ることができる。
【００１８】
一方、光ディスク１がADIP方式である場合、再生増幅器５からウォブル信号が出力され、ADIP復調部８に入力される。ADIP復調部８では、位相変調部の検出部１１、データビットの検出部１４、データビットの周期保護部１７、データラッチ部２４、及び誤り訂正部２３を経て、アドレス情報を得る。得られたアドレス情報をLPP方式として出力するため、LPP信号生成部２２にて、ADIP−LPP変換を行う。変換されたデータは、生成LPP信号として、スイッチ２１を介して、LPPデコーダ１０に出力される。なお、誤り訂正部２３は、ADIPデータの誤り訂正と、得られたADIPアドレスと前回、前々回のADIPアドレスの連続性チェックを行う。ここでは、スイッチ２１はADIP復調部に含まれる構成となっているが、本発明はこれに限られるものではなく、スイッチ２１をADIP復調部外に設ける構成としても良い。
【００１９】
ワードシンク検出部１２、ワードシンク周期保護部１５、ワードカウンタ１８により、周期保護されたワードシンクを得ることができ、ビットシンク検出部１３、ビットシンク周期保護部１６、ワードカウンタ１８、2フレームカウンタ１９により、周期保護されたビットシンクを得ることができる。周期保護されたビットシンクと2フレームカウンタ１９により、データビット周期保護部１７を制御する。異常検出部２０は、ワードシンク周期保護部１５、及びビットシンク周期保護部１６により、異常が検出された場合にLPP信号生成部２２の動作を停止させ、生成LPP信号を出力せずに、LowまたはHighに保つ。異常検出部２０のLPP停止信号は、マイコン６にも伝わり、マイコン６は記録動作を停止させるように、各部に信号を伝える。
【００２０】
次に、ADIP方式の光ディスクを再生するときのADIP復調部８の動作の詳細を説明する。位相変調部検出部１１では、再生増幅器５により、再生されたウォブル信号から、位相反転部（位相０度、位相１８０度の切り替わり部）を検出する。位相変調部に入力される入力信号は、図４(b)に示すように、再生されたウォブル信号を振幅のレベルに応じて、“０”、“１”の二値化した信号である。図４（ｂ）に示すように、位相が切り替わっている箇所は、３２Tの幅がある。他は１６Tで切り替わる。位相変調検出部は、３２Tの幅の立ち上がりと立ち下がりを検出する。
【００２１】
この位相変調部で得られた３２Tの幅の検出信号は、ワードシンク検出部１２、ビットシンク検出部１３、及び、データビット検出部１４に入力される。それぞれの検出部では、前述の図４−６の３パターンの何れかのウォブルを検出し、ワードシンク、ビットシンク、及びデータビットを、それぞれ別々に出力する。３パターンの特徴は、以下の通りである。
【００２２】
ワードシンクを表す図４(b)では、３２Tの立ち上がりから、３２Tの立ち下がりまで、４ウォブル（１２８T）で位相が切り替わっている。ビットシンクを表す図５(b)では、３２Tの立ち上がりから、３２Tの立ち下がりまで、１ウォブル（３２T）で位相が切り替わっている。データビット“０”、“１”は、３２Tの立ち上がりから、３２Tの立ち下がりまで、２ウォブル（６４T）で位相が切り替わっている。この３パターンのウォブルを別々に検出することにより、ワードシンク、ビットシンク、及びデータビットを検出できる。
【００２３】
次に、ワードシンク検出部１２、ビットシンク検出部１３、及び、データビット検出部１４について説明する。まず、図７にワードシンク検出部１２のタイミング図を示し、検出方法について説明する。（ａ）は、再生増幅器５により再生された二値化されたウォブル信号、（ｂ）は、位相変調部１１出力である３２Ｔの立ち上がり検出の信号、（ｃ）は、位相変調部１１出力である３２Ｔの立ち下がり検出の信号である。（ｄ）判定カウンタは、ワードシンク検出部１２内に設けられており、（ｂ）立ち上がり検出により、０クリアされる。（ｄ）の判定カウンタのカウンタ値により、（ｅ）ワードシンクの位相切り変わり幅4ウォブル（１２８T）を中心値として、±yT（ｙは、整数値）の窓幅で、ワード検出窓を開く。窓幅は、図１のマイコン６により、設定値が可変できる。
【００２４】
ワードシンク検出窓が開いており、かつ（ｃ）立ち下がり検出の信号有りの場合に、（ｈ）未保護ワードシンクが検出される。未保護とは、未だワードシンクが周期保護されていないということを意味し、周期保護されたワードシンクと区別している。（ｅ）ワードシンク検出窓は、（ｃ）立ち下がりを検出すると閉じる。
【００２５】
ビットシンク、及びデータビットの検出部１３，１４についても、検出窓（ｆ）（ｇ）の開閉タイミングをそれぞれ変更することにより、ワードシンク検出部１２と同様の回路構成で未保護のビットシンクまたはデータビットの検出を実現できる。図７の例では、（ｄ）判定カウンタを、ワードシンク、ビットシンク、及びデータビットの検出部１２、１３，１４共に共通化している。（ｄ）判定カウンタにより、（ｆ）ビットシンクの検出窓は、1ウォブル（３１T）中心に±ｙTの窓幅であり、（ｇ）データビットの検出窓は、２ウォブル（６３T）中心に±ｙT窓幅である。図７の例では、それぞれ、検出窓が開いている間に、（ｃ）立ち下がり検出信号が無い（Ｌｏｗ）ため、（ｉ）未保護ビットシンク、（ｊ）未保護データビットは、検出されない。（ｄ）判定カウンタは、ワードシンク検出部１２内に一個所に設けたが、ビットシンク検出部１３、データビット検出部１４内にそれぞれ設けても良い。また、窓幅もそれぞれ可変できるようにしても良い。それぞれのパターン毎に検出精度を上げるためである。
【００２６】
次に、ワードシンク、ビットシンク及びデータビットの周期保護について説明する。図８にワードシンク周期保護部１５のタイミング図を示し、ワードシンク周期保護方法について説明する。ワードシンク周期保護部１５は、ワードシンク検出部１２により検出された未保護ワードシンクを周期保護するために設けている。（ａ）は、ワードシンク検出部１２出力である未保護のワードシンクである。（ｂ）は、2フレームカウンタ、（ｃ）は、ワードカウンタである。2フレームカウンタは、２シンクフレーム分０〜２９７５T（０〜93ウォブル）をカウントする。ワードカウンタは、０〜５１の５２ADIPビットをカウントする。それぞれのADIPビットは順次データラッチに蓄えられ、ADIPワードが構成される。（ｄ）はワードシンクの周期保護窓である。ワードシンクひき込み前の初期状態（未だ、未保護ワードシンクが見つかっていない場合）では、周期保護窓は開いており(全開)、最初の未保護ワードシンクを探す。（ｄ）ワードシンク周期保護窓が開いており、かつ(a)未保護ワードシンクが有る場合は、（ｅ）に示すように、ワードシンクが検出され、ワードシンク周期保護窓（ｄ）は閉じる。最初のワードシンクが検出されると、（ｂ）２フレームカウンタに値がロードされ、（ｃ）ワードカウンタは０クリアされる。（ｂ）２フレームカウンタにロードされる値は、ワードシンクとビットシンクの出現位置の差である３ウォブル（９６T）である。図４に示すワードシンクの位相変調部2と、図５に示すビットシンクの位相変調部２との間の出現位置の差である。（ｃ）ワードカウンタは、（ｂ）２フレームカウンタの値が、０クリアされる毎に５１までカウントアップされる。
【００２７】
周期保護窓は、最初のワードシンクが見つかった後は、次のワードシンクを見つけるために、（ｃ）ワードカウンタ値が５１、（ｂ）２フレームカウンタ値９３ウォブル（２９７５T）を中心値として幅±ｚT（ｚは、整数）で開く。周期保護窓の幅は、マイコン６により可変することができる。
【００２８】
図２に示すように、ワードシンクはADIPワードに１つ含まれていることから、ワードシンクから次のワードシンクまでの距離は１ADIP ワード（93ウォブル×５２ＡＤＩＰデータ）である。従ってADIPワードの先頭にあるワードシンクを周期保護した後に、この値をカウントし、適時窓を開き、ワードシンクの周期保護を行う。例えば、図8（ａ）では、２個目のワードシンクと3個めのワードシンクの間に誤検出のワードシンクが存在する。しかし、（ｄ）ワードシンク周期保護窓が閉じている場合には、ワードシンクとみなさない。このように、周期保護窓を開閉し周期保護を行うことにより、前検出値から出現周期を予測するため、誤検出による影響を少なくし、検出信号の信頼性を高めている。
【００２９】
次に、ワードシンクが、一定回数連続未検出の場合の対策について、図８を用い説明する。（ｆ）は、ワードシンクの連続未検出回数を示す。図８では、４個目の（ａ）未保護ワードシンクが存在せず、（ｅ）に示すように、ワードシンクは未検出である。このような場合には（ｄ）ワードシンク周期保護窓の立ち下がり時に、（ｆ）連続未検出数がカウントアップされる。（ｆ）連続未検出回数が一定値以上となった場合は、（ｄ）ワードシンク周期保護窓が全開となり、ワードシンクを探す。ワードシンクが見つからないと、ビットシンク、データビットの位置が特定できないからである。なお、ワードシンク周期保護窓が閉じている間に、ビットシンク周期保護窓の開閉が行われる。ワードシンク周期保護後でないと、ビットシンクを周期保護できないからである。そのため、ワードシンクが、一定回数連続未検出の場合は、周期保護窓を全開とし、ワードシンクを再び探す構成としている。これにより、ワードシンクがみつからず、その結果データ値が検出できないという問題を早めに回避できる。
【００３０】
次に、ワードシンクが、一定回数連続未検出の場合は、異常だとみなし、LPP信号生成を止める方法について、図８を用い説明する。連続未検出回数が設定値以上だと異常だとし、（ｈ）LPP停止信号を異常検出部２０に送る。図８では、一例として、連続未検出数設定値を３回に設定している。異常検出部２０は、LPP信号生成部２２のADIP−LPP変換を停止させ、生成LPP信号を停止する。異常検出部２０のLPP停止信号は、マイコン６にも伝わり、マイコン６は記録動作を停止させるように、各部に信号を伝える。
【００３１】
次に、ビットシンク周期保護部１６について説明する。ビットシンク周期保護部１６は、ビットシンク検出部１３により検出された未保護ビットシンクを周期保護するために設けている。図９にビットシンク周期保護部１６のタイミング図を示し、ビットシンク周期保護方法について説明する。（ａ）は、ワードシンク周期保護部１５出力であるワードシンクである。（ｂ）は、ビットシンク検出部１３出力である未保護のビットシンクである。（ｃ）は、2フレームカウンタである。
【００３２】
図２に示すように、ADIPワードの構成上、ADIPワードの先頭にあるワードシンクを周期保護した後に、ワードシンクの先頭からビットシンクの先頭まで、９３ウォブル離れているビットシンクの周期保護を行う。そのため、ワードシンク周期保護部１５により、周期保護されたワードシンクを基準とし、ビットシンク周期保護部１６の周期保護窓が開くような構成としている。その後、ビットシンクから次のビットシンクまで、93ウォブル離れているビットシンクの周期保護を順次行う。
【００３３】
ビットシンクの周期保護するためには、まずワードシンクを周期保護することが必要である。（ａ）ワードシンクが検出されると、前述したように、（ｃ）２フレームカウンタに値９６（３ウォブル）がロードされる。（ｄ）は、ビットシンクの周期保護窓である。（ｄ）ビットシンク周期保護窓は、（ｂ）２フレームカウンタ値９３ウォブル（２９７５T）を中心値として幅±ｚTで開く。周期保護窓の幅は、マイコン６により可変することができる。（ｂ）未保護ビットシンクが（ｄ）周期保護窓が開いている場合に見つかると、保護されたビットシンクとして（ｅ）ビットシンクが検出される。検出された場合には、（ｄ）ビットシンク周期保護窓を閉じ、（ｃ）２フレームカウンタを０クリアする。
【００３４】
次に、ビットシンクが、一定回数連続未検出の場合の対策について、図９を用い説明する。（ｆ）は、ビットシンクの連続未検出回数を示す。ビットシンク周期保護部１６に、ビットシンクの連続未検出回数をカウントするカウンタを設けている。未検出回数が一定値以上になると、（ｄ）ビットシンク周期保護窓が開放になるような構成としている。周期保護窓を開放にするための未検出回数の設定は、マイコン６により可変できる。図９では、一例として、連続未検出回数を3回に設定している。
【００３５】
ビットシンク連続未検出回数が一定値以上になった場合に、ビットシンク検出窓を広げて、ビットシンクを探しに行く方法を用いても良い。この方法は、何番目のADIPビットが未検出なのかが正確にわかるという利点がある。
【００３６】
また、連続未検出回数が設定値以上である場合には異常だと判断し、（ｈ）LPP停止信号を異常検出部２０に送る。異常検出部２０は、LPP信号生成部２２のADIP−LPP変換を停止させ、生成LPP信号を停止する。異常検出部２０のLPP停止信号は、マイコン６にも伝わり、マイコン６は記録動作を停止させるように、各部に信号を伝える。
【００３７】
次に、ビットシンクが、一定回数連続未検出の場合の対策について、図１０を用い説明する。図１０では、ビットシンク連続未検出回数が一定値以上になった場合、ワードシンクの周期保護窓を開放し、ワードシンクを探す構成にしている。周期保護窓を開放にするための未検出回数の設定は、マイコン６により可変できる。図１０では、連続未検出回数を６回に設定している。（ｆ）ビットシンク連続未検出回数が６回にあると、（ｇ）ワードシンク周期保護窓を開放している。ADIPワードは、図２に示すように、１ECCブロックに４アドレスのデータを持つ。そのため、ビットシンクが一定値以上連続未検出の場合は、ワードシンクを早期に見つけるようにする。（ｇ）ワードシンクの周期保護窓を開放と同時に、（ｄ）ビットシンク周期保護窓を閉じる。図２に示すように、ADIPワードの構成上、ワードシンク周期保護後でないと、ビットシンクを周期保護できないからである。
【００３８】
なお、この構成を使用する場合は、ビットシンク連続未検出回数は、８回以下に設定するのが良い。ビットシンクが連続して2ワード（８ビット）までは、誤り訂正部２３にて誤り訂正可能だが、それ以上は誤り訂正不能だからである。
【００３９】
次に、データビット周期保護部１７について説明する。データビット周期保護部１７は、データビット検出部１４により検出された未保護データビットを周期保護するために設けている。図１１にデータビット周期保護部１７のタイミング図を示し、データビット周期保護方法について説明する。（ａ）は、ビットシンク周期保護部１６出力である周期保護されたビットシンクである。（ｂ）は、データビット検出部１４出力である未保護のデータビットである。（ｃ）は、2フレームカウンタである。（ｄ）は、“０”データ周期保護窓である。（ａ）ビットシンクが周期保護されると（ｃ）２フレームカウンタは、０クリアされる。（ｄ）“０”データ周期保護窓は、（ｃ）２シンクフレームカウント値７ウォブル（２２３T）±ｚT（ｚは、整数）で開かれる。図５の位相変調部２から位相変調部３の間は、７ウォブルだからである。（ｄ）“０”データ周期保護窓が開いているおり、かつ（ａ）ビットシンク検出有りの場合に、（ｅ）データビット“０”が検出される。（ｆ）は、“１”データ周期保護窓である。“１”データ周期保護窓は、（ｃ）２シンクフレームカウント値５ウォブル（１５９T）中心値±ｚTで開かれる。図６に示すように、位相変調部２から位相変調部３の間は、５ウォブルだからである。（ｆ）“１”データ周期保護窓が開いているおり、かつ（ａ）ビットシンク検出有りの場合に、（ｇ）データビット“１”が検出される。データビット周期保護部１７により、ワードシンク周期保護部１５、ビットシンク周期保護部１６、データビット周期保護部１７の検出結果より、ADIPデータビットを順次５１個得ることができる。
【００４０】
次に、異常が検出された場合に、LPP信号生成を停止させ、記録動作を止める方法を述べる。図１に示すように、異常検出部２０は、LPP信号生成部２２のADIP−LPP変換を停止させ、生成LPP信号を停止する。異常検出部２０のLPP停止信号は、マイコン６にも伝わり、マイコン６は記録動作を停止させるように、各部に信号を伝える。異常検出の判断方法としては、前述したように、ワードシンク及び、ビットシンクが連続未検出の場合に、LPP信号生成を停止する方法がある。ワードシンク周期保護部１５の出力である周期保護されたワードシンクが、異常検出部２０に入力され、ワードシンクが一定回数連続未検出であった場合に、異常状態だと判断される。また、ビットシンク周期保護部１６の出力である周期保護されたビットシンクが、異常検出部２０に入力され、ビットシンクが一定回数連続未検出であった場合に、異常状態だと判断される。連続未検出回数値は、マイコン６により設定できる。
【００４１】
別の異常検出の判断方法として、誤り訂正不能信号を使用する方法を示す。誤り訂正部２３は、ADIPデータについて誤り訂正を行う。誤り訂正部２３内に、アドレス連続性判断部を設け、誤り訂正されたADIPデータのアドレス値と、前回、及び前々回に検出されたADIPデータのアドレス値に、連続性があるかどうかを調べる。アドレス値の連続性不成立が、一定回数連続してあった場合には、異常状態だと判断し、LPP信号生成部２２によるLPP信号生成を停止する。アドレス値の連続性不成立が、一定回数ある場合は、そのアドレス値は誤っている可能性が高いためである。一方、アドレス値連続性が不成立であっても、一定回数以下であれば、前回連続性ありと判断されたアドレス値をもとに予測値を求め、その値をLPP信号生成部２２に入力する。また、誤り訂正部２３において、連続して誤り訂正不能になった場合も、同様にLPP信号生成部２２によるLPP信号生成を停止する。アドレス値は誤っている可能性が高いためである。アドレスが再生できていないのに記録することは危険なため、ディスク上の誤った位置への記録動作を回避し、ディスク上の記録済データを破壊することを防ぎ、ディスク保護を図っている。
【００４２】
以上のように、ADIP方式光ディスクでは、ワードシンク、ビットシンクといった同期信号2種類を同時に検出し、同期保護しながら、データビットの正しい値を検出することができる。また、記録時、ワードシンク、ビットシンクの異常検出時にディスクの記録停止を行うことにより、ディスク上の誤った位置への記録動作を回避し、ディスク上の記録済データを破壊することを防ぎ、ディスクを保護することができる。さらに、ADIP−LPP変換を行うことで、ADIP方式、LPP方式のディスクを共に記録再生でき、光ディスク記録装置を構成できる。
【図面の簡単な説明】
【００４３】
【図１】本発明の一実施形態でのディスクドライブの全体構成を示すブロック図
【図２】ADIP方式光ディスクにおけるアドレスデータ方式（ADIP word ,ADIP bit）を示すための略線図
【図３】ADIP方式光ディスクにおけるADIPデータを説明するための略線図
【図４】ADIP方式光ディスクにおけるワードシンクを示す図
【図５】ADIP方式光ディスクにおけるADIPビット＝１を示す図
【図６】ADIP方式光ディスクにおけるADIPビット＝０を示す図
【図７】本発明の一実施形態におけるワードシンク検出動作のタイミング図
【図８】本発明の一実施形態におけるワードシンク周期保護動作のタイミングの図
【図９】本発明の一実施形態におけるビットシンク周期保護動作のタイミング図
【図１０】本発明の一実施形態におけるビットシンク周期保護動作のタイミング図
【図１１】本発明の一実施形態におけるデータビット周期保護動作のタイミング図
【符号の説明】
【００４４】
１…光ディスク，２…スピンドルモータ，３…ピックアップ，４…LDドライバ，５…再生増幅器，６…マイコン，７…光ディスクコントロール回路，８…ADIP復調部，９…変調部，１０…LPPデコーダ，１１…位相変調部検出部，１２…ワードシンク検出部，1３…ビットシンク検出部，1４…データビット検出部，1５…ワードシンク周期保護部，1６…ビットシンク周期保護部，1６…データビット周期保護部，1８…ワードカウンタ，1９…２フレームカウンタ，２０…異常検出部，２１…スイッチ，２２…LPP信号生成部，２3…誤り訂正部，２4…データラッチ部
【図１】
2007164984.tif 000003
【図２】
2007164984.tif 000004
【図３】
2007164984.tif 000005
【図４】
2007164984.tif 000006
【図５】
2007164984.tif 000007
【図６】
2007164984.tif 000008
【図７】
2007164984.tif 000009
【図８】
2007164984.tif 000010
【図９】
2007164984.tif 000011
【図１０】
2007164984.tif 000012
【図１１】
2007164984.tif 000013